(57)【要約】【課題】操作ボタンを押圧する際に強い力は必要なく、所期した通りの量の内容物を１回分だけ抽出することができる定量抽出容器を提供する。【解決手段】本発明の定量抽出容器は、粉体を収納する胴体１０を有する容器本体１と、側部に凹所３３を有する栓体３２を備え操作ボタン４０に連結するロッド３０と、胴体１０の内側に設けられ、栓体３２に当接して胴体１０内を閉鎖する一方、操作ボタン４０の押し込みに伴い凹所３３を閉鎖し、操作ボタン４０の更なる押し込みにて凹所３３内の粉体のみを排出する弾性壁５０とを備え、容器本体１の下端部に、凹所３３内から排出された粉体の抽出口６５を有するとともにロッド３０に向けて起立するガイドピン６３を備える底体６０を設け、ロッド３０に、ガイドピン６３を内側に収める深穴３４を設けたことを特徴とする。【選択図】図１
2014129099.tif 000002
【特許請求の範囲】
【請求項１】
その内側に粉体を収納する筒状の胴体を有し、貫通孔を形成した天壁を該胴体の上端部に備える容器本体と、側部に凹所を有する栓体をその下端部に備えるとともに該天壁の上方に配される操作ボタンに該貫通孔を通して連結するロッドと、該胴体の内側に設けられ、該栓体に当接して該胴体内を閉鎖する一方、該操作ボタンの押し込みに伴い該凹所を閉鎖するとともに該操作ボタンの更なる押し込みにて該凹所内の粉体のみを排出する弾性壁とを備え、
前記容器本体の下端部に、該凹所内から排出された粉体の抽出口を有するとともに前記ロッドに向けて起立するガイドピンを備える底体を設け、
前記ロッドに、該ガイドピンを内側に収める深穴を設けたことを特徴とする定量抽出容器。
【請求項２】
前記ガイドピンの外周面又は前記深穴の内周面の何れか一方に螺旋溝を設けるとともに、他方に該螺旋溝に連係する突出部を設けた請求項１に記載の定量抽出容器。
【請求項３】
前記弾性壁は、前記胴体の内周面にて保持される環状の基部と、その一端部を該基部に連結するとともにその他端部を前記栓体に全周に亘って当接させる環状舌片とからなる請求項１又は２に記載の定量抽出容器。
【請求項４】
前記底体と前記栓体との間に、前記ロッドを上方に向けて付勢する弾性体を設けた請求項１〜３の何れかに記載の定量抽出容器。
【発明の詳細な説明】
【技術分野】
【０００１】
本発明は、調味料や化粧料、医薬品等の粉体を定量で抽出することができる定量抽出容器に関するものである。
【背景技術】
【０００２】
各種の調味料や食料品をはじめ、化粧料、医薬品等の粉体を収納した容器においては、１回の操作で定められた量の粉体だけを抽出することができる定量抽出容器が知られている。
【０００３】
このような定量抽出容器として、例えば特許文献１には、貫通孔を有する中蓋にて上部開口を覆うとともに振出し口を有する底板にて下部開口を覆った本体と、上端部を貫通孔から突出させてプッシュ部と連結するとともに下端部に第１栓部及び第２栓部を設けて搬出凹部を形成したセンターロッドとを備え、プッシュ部の押し下げにて第２栓部を振出し口から押し出すことで、搬出凹部内の内容物を抽出させるようにした容器が示されている。また、特許文献２にも同様の構成となる容器が示されている。
【先行技術文献】
【特許文献】
【０００４】
【特許文献１】実開昭６３−１４２１６３号公報
【特許文献２】実開昭５５−１２２６８７号公報
【発明の概要】
【発明が解決しようとする課題】
【０００５】
ところで、このような従来の容器では、内容物を抽出する容器の開口（特許文献１では振出し口）と、凹部を設けた栓体（特許文献１では第１及び第２栓部）との隙間が大きすぎると、所期した量以上の内容物が排出されたり、この隙間から常時外気が入り込んで内容物の品質が劣化したりするおそれがあることから、隙間はできるだけ小さくすることが好ましい。しかし、操作ボタン（特許文献１ではプッシュ部）が斜めから押し込まれると、栓体と開口との間の隙間が小さい分、栓体が開口の側壁に強く接触することとなり、操作ボタンの押し込みに強い力が必要になるという問題があった。
【０００６】
また、内容物の粒径や種類によっては、内容物が凹部内へスムーズに移行することができず、凹部内への内容物の充填量が不足することや、充填された内容物が凹部から全て排出されなかったりすることもあって、内容物の抽出量が所期した量よりも減ってしまうおそれがあった。このため、内容物の抽出に係る操作性の点、及び内容物を正確な量で抽出させる点で未だ改善の余地が残されていた。
【０００７】
本発明は、このような従来の問題点を解決することを課題とするものであり、その目的は、容器の開口と栓体との隙間を小さくしても良好な操作性が得られるとともに所期した通りの量の内容物を１回分だけ確実に抽出することができる、新規の定量抽出容器を提案するところにある。
【課題を解決するための手段】
【０００８】
本発明は、その内側に粉体を収納する筒状の胴体を有し、貫通孔を形成した天壁を該胴体の上端部に備える容器本体と、側部に凹所を有する栓体をその下端部に備えるとともに該天壁の上方に配される操作ボタンに該貫通孔を通して連結するロッドと、該胴体の内側に設けられ、該栓体に当接して該胴体内を閉鎖する一方、該操作ボタンの押し込みに伴い該凹所を閉鎖するとともに該操作ボタンの更なる押し込みにて該凹所内の粉体のみを排出する弾性壁とを備え、
前記容器本体の下端部に、該凹所内から排出された粉体の抽出口を有するとともに前記ロッドに向けて起立するガイドピンを備える底体を設け、
前記ロッドに、該ガイドピンを内側に収める深穴を設けたことを特徴とする定量抽出容器である。
【０００９】
前記ガイドピンの外周面又は前記深穴の内周面の何れか一方に螺旋溝を設けるとともに、他方に該螺旋溝に連係する突出部を設けることが好ましい。
【００１０】
前記弾性壁は、前記胴体の内周面にて保持される環状の基部と、その一端部を該基部に連結するとともにその他端部を前記栓体に全周に亘って当接させる環状舌片とからなることが好ましい。
【００１１】
前記底体と前記栓体との間に、前記ロッドを上方に向けて付勢する弾性体を設けることが好ましい。
【発明の効果】
【００１２】
本発明に従う定量抽出容器は、胴体の内側に、栓体に当接して胴体内を閉鎖する一方、操作ボタンの押し込みに伴い凹所を閉鎖するとともに操作ボタンの更なる押し込みにて凹所内の粉体のみを排出する弾性壁を設け、更に、粉体の抽出口を有するとともにロッドに向けて起立するガイドピンを備える底体を設け、ロッドに、ガイドピンを内側に収める深穴を設けている。すなわち、栓体に接触する部位は弾性壁であって軽い力が作用するだけなので、隙間なく当接させても操作ボタンの押圧力に大きく影響することはない。また、ロッドはガイドピンで案内されて押し下げられる結果、操作ボタンの押し方にかかわらず栓体を真っ直ぐに移動することができるので、栓体が弾性壁に強く押し当たることもなく、良好な操作性を得ることができる。更に、継続して使用することによる擦れ等で栓体や弾性壁が多少摩耗しても、弾性壁が追従して隙間なく当接する状態が保たれるので、初期の性能を長期に亘って維持することができる。
【００１３】
ガイドピンの外周面又は深穴の内周面の何れか一方に螺旋溝を設けるとともに、他方に螺旋溝に連係する突出部を設ける場合は、操作ボタンの押し込みにて、ロッドをガイドピンに沿って押し下げつつガイドピン回りに回転させることができるので、粉体の凹所内への導入及び凹所からの排出がよりスムーズに行えるようになり、粉体の凹所への充填不足や凹所からの排出不良が発生しにくくなる。また、凹所に充填される粉体には遠心力も作用するので、粉体の排出がより確実に行われるようになる。従って、所期した量の粉体をより正確に、より安定的に抽出させることが可能となる。
【００１４】
弾性壁を、胴体の内周面にて保持される環状の基部と、その一端部を該基部に連結するとともにその他端部を前記栓体に全周に亘って当接させる環状舌片とで構成することにより、環状舌片を栓体に対して周方向に一律に当接させることができるので、内容物が環状舌片と栓体との間から溢れ出す不具合を有効に防止することができる。
【００１５】
底体と栓体との間に、ロッドを上方に向けて付勢する弾性体を設ける場合は、押し込んだ操作ボタンから手を離すとロッドを初期位置に戻すことができるので、内容物の抽出に係る操作性を高めることができる。
【図面の簡単な説明】
【００１６】
【図１】本発明に従う定量抽出容器の第１実施形態であり、ロッドを押し込む前の初期位置における側面視での断面図である。
【図２】図１に示す状態からキャップを取り外してロッドを押し込み、弾性壁によって凹所が閉鎖された状態を示す断面図である。
【図３】図２に示す状態から更にロッドを押し込んで凹所内の粉体が排出された状態を示す、ロッドの押し込み終了位置での断面図である。
【図４】本発明に従う定量抽出容器の第２実施形態であり、ロッドを押し込む前の初期位置における側面視での断面図である。
【図５】図４に示す状態からキャップを取り外してロッドを押し込んで、凹所内の粉体が排出された状態を示す、ロッドの押し込み終了位置での断面図である。
【図６】図５に示す状態から弾性体が復元し、ロッドが初期位置に復帰した状態を示す断面図である。
【図７】弾性体（コイルバネ）の巻き方向とロッドの回転方向との関係を説明する図であり、（ａ）はロッドを押し込む際の説明図であり、（ｂ）はロッドが復帰する際の説明図である。
【発明を実施するための形態】
【００１７】
以下、図面を参照して、本発明をより具体的に説明する。
図１は、本発明に従う定量抽出容器の第１実施形態であり、ロッドを押し込む前の初期位置における側面視での断面図であって、図２は、図１に示す状態からキャップを取り外してロッドを押し込み、弾性壁によって凹所が閉鎖された状態を示す断面図であって、図３は、図２に示す状態から更にロッドを押し込んで凹所内の粉体が排出された状態を示す、ロッドの押し込み終了位置での断面図である。
【００１８】
図１において、符号１は容器本体である。第１実施形態において容器本体１は、その内側に粉体の収納空間Ｍを有する筒状の胴体１０と、胴体１０の上端部に設けられる蓋体２０とからなる。また、符号３０は押し下げにて収納空間Ｍ内の粉体を定量で取り出すロッドであり、符号４０はロッド３０を押し下げるための操作ボタンであり、符号５０はロッド３０に対して弾性的に当接する弾性壁であり、符号６０は、容器本体１の下部に取り付けられる底体であり、符号７０はロッド３０を上方に向けて付勢する弾性体であり、符号８０は不使用時に容器本体１を閉鎖するキャップである。
【００１９】
胴体１０は、第１実施形態では下方に位置する大径部１１と、大径部１１に連続する小径部１２とを有し、更に小径部１２の上方には、外周面にねじを形成した環状の連結部１３を備えている。
【００２０】
蓋体２０は、貫通孔２１を形成した天壁２２を備えていて、貫通孔２１の縁部には、上方に向けて立ち上がる内側環状壁２３を設けている。また、天壁２２の縁部には、上方に向かう外側環状壁２４と、下方に向かう環状の連結部２５とを設けている。連結部２５の内周面にはねじが形成されていて、蓋体２０は胴体１０にねじ止めにて保持される。なお、ねじ止めに代えてアンダーカットにて保持するようにしてもよい。更に、外側環状壁２４の上部には、外側環状壁２４の内周面に保持される円筒部２６ａと、円筒部２６ａに連結するフランジ２６ｂとを備え、操作ボタン４０の抜け止めとなる抜け止め部材２６を備えている。
【００２１】
ロッド３０は、棒状のロッド本体３１と、ロッド本体３１の下端部に設けられる栓体３２と、栓体３２の側部に形成される凹所３３とを備えている。第１実施形態において凹所３３は環状になっていて、これにより栓体３２を、上端側栓体部分３２ａと下端側栓体部分３２ｂの２つに分離している。更に、ロッド３０には、下端側から上端側に向かう深穴３４が設けられていて、深穴３４の入口には、深穴３４よりも大径となる凹部３５を設けている。
【００２２】
操作ボタン４０は、ロッド３０を押し下げる際に指等が直接触れる部位となる円柱状の操作部本体４１と、操作部本体４１の中央から下方に延び、蓋体２０の貫通孔２１を通してロッド本体３１に連結する棒状部４２と（棒状部４２の下端部に設けた下端環状壁４２ａの内側にロッド本体３１の上端部を収容している）、操作部本体４１の縁部から下方に延びる筒状部４３を備えている。また、筒状部４３の下端には、径方向外側に向けて延びる環状の突起４４を設けていて、これにより操作ボタン４０は、抜け止め部材２６に抜け止め保持される。なお、第１実施形態において抜け止め部材２６は、蓋体２０と別部材として設けられていて、操作ボタン４０を蓋体２０に装着した後に取り付けるようにしているが、筒状部４３を内径側に撓み可能に形成することで、抜け止め部材２６を蓋体２０に一体連結することもできる。
【００２３】
弾性壁５０は、胴体１０の内周面で保持される環状の基部５１と、その一端部を基部５１に連結するとともにその他端部がロッド３０の栓体３２に弾性的に当接する環状舌片５２とを備えている。ここで環状舌片５２は、図１に示すようにロッド３０が押し込まれる前の初期位置において、下端側栓体部分３２ｂと当接して収納空間Ｍ内を閉鎖している。またこの時点において環状舌片５２は、上端側栓体部分３２ａとは接触せず、凹所３３は開口した状態となっている。また、基部５１の上面は、径方向外側から内側に向かって下向きに傾斜する傾斜面５３となっている。
【００２４】
底体６０は、胴体１０の内周面で保持される環状保持部６１と、環状保持部６１に一体連結するとともにロッド３０及び弾性壁５０を内側に収めて胴体１０を閉鎖する底壁６２とを備えている。底壁６２の中央部には、ロッド３０の深穴３４に向けて起立するガイドピン６３を設けていて、ガイドピン６３の根元には、ガイドピン６３よりも大径となる段部６４を設けている。またガイドピン６３の径方向外側には、底壁６２の表裏を貫く抽出口６５を設けている。ここで底壁６２は、径方向外側から抽出口６５に向けて下向きに傾斜するように形成されている。また、底壁６２の下面には、下向き環状壁６６を設けている。
【００２５】
弾性体７０は、本実施形態ではコイルバネであり、その下部はガイドピン６３の段部６４に挿通されていて、その上部はロッド３０の凹部３５に保持されている。なお、弾性体７０は、蓋体２０と操作ボタン４０との間に設けてもよい。
【００２６】
キャップ８０は、円板状のキャップ本体８１を備えていて、その中央部に円柱状の膨出部８２を有するとともに、その縁部にフランジ付きの環状部８３を備えている。これによりキャップ８０は、膨出部８２を底体６０の下向き環状壁６６に嵌合させるとともに、環状部８３を胴体１０の大径部１１に嵌合させて容器本体１に保持されている。
【００２７】
上記のような構成となる定量抽出容器において、内容物である粉体は、図１のように操作ボタン４０を上方に向けた姿勢にて栓体３２側に溜まることになるので、凹所３３内の全体に粉体を充填させることができる。また、基部５１の上面は、凹所３３に向かって下向きに傾く傾斜面５３となっていて、内容物である粉体は傾斜面５３に沿って凹所３３へ流れ込むので、凹所３３への粉体の充填がより確実に行われる。そして、環状舌片５２は、下端側栓体部分３２ｂに全周に亘って当接しているので、これらの相互間から粉体が溢れ出すことがない。
【００２８】
そして、粉体を抽出するに当たっては、キャップ８０を取り外した後、操作ボタン４０を押圧してロッド３０を下向きに変移させる。そして図２に示す位置までロッド３０が変移すると、凹所３３は環状舌片５２にて閉鎖され、定量の粉体が凹所３３内に充填される。なお、凹所３３の閉鎖とは、環状舌片５２が上端側栓体部分３２ａと下端側栓体部分３２ｂの両方に当接して凹所３３が完全に閉じた状態となる場合の他、環状舌片５２が上端側栓体部分３２ａ及び下端側栓体部分３２ｂと僅かに隙間をあけて近接する場合も含むものである。通常、操作ボタン４０への押圧は、ロッド３０の押し込みが終了するまで継続して行われてロッド３０は移動し続けているので、環状舌片５２と上端側栓体部分３２ａ及び下端側栓体部分３２ｂとの間に僅かに隙間ができても、内容物が凹所３３に対して出入りすることはなく、凹所３３は略閉鎖されているとみなすことができる。
【００２９】
そして操作ボタン４０への押圧を継続すると、図３に示すように、ロッド３０に設けた凹部３５の下面が、ガイドピン６３の根元に設けた段部６４の上面に当接して、ロッド３０の押し込みが終了する（押し込み終了位置）。この時、環状舌片５２は上端側栓体部分３２ａのみと当接して凹所３３は開いた状態となっているので、収納空間Ｍ内の粉体は溢れることなく凹所３３内の粉体のみが底体６０へ落下する。そして、落下した定量の粉体は、抽出口６５を通して外界へ抽出される。なお、底壁６２は、径方向外側から抽出口６５に向けて下向きに傾斜するように形成されているので、凹所３３から落下した粉体は底壁６２の傾斜面に沿ってスムーズに抽出口６５から抽出される。またロッド３０は、深穴３４及びガイドピン６３にて案内されつつ下向きに変移する結果、操作ボタン４０の押し方にかかわらず栓体３２を真っ直ぐに移動させることができるので、栓体３２が環状舌片５２に強く押し当たることもなく、良好な操作性を得ることができる。
【００３０】
また、蓋体２０に設けた内側環状壁２３でも操作ボタン４０の棒状部４２をガイドすることができるので、より一層良好な操作性を得ることができる。
【００３１】
そして、粉体を抽出させた後に操作ボタン４０から手を離すと、弾性体７０の復元力によって、ロッド３０を図１に示す初期位置に変移させることができるので、ロッド３０を元の位置に戻す操作は不要となる。なお、弾性体７０は、栓体３２或いは底体６０に一体連結するものでもよく、例えば下端側栓体部分３２ｂに、底体６０に向かう蛇腹部を設けることで部品点数の削減を図ることができる。
【００３２】
また、少なくとも胴体１０を透明な材料で形成すれば、内容物の残量が容易に視認できる他、収納空間Ｍ内の内容物が凹所３３内へ確実に充填され、また凹所３３内から全て抽出されたことを目視でも確認できるので、特に好ましい。更に、ロッド３０に加飾（例えば着色）を施すことで、格別のアイキャッチ効果を奏することが可能となり、従来の定量抽出容器に対して差別化を図ることができる。
【００３３】
次に本発明に従う定量抽出容器の第２実施形態について説明する。なお、第１実施形態で説明したものと同一の機能を果たすものについては、同一の符号を付して説明は省略する。
【００３４】
図４は、本発明に従う定量抽出容器の第２実施形態につき、ロッドを押し込む前の初期位置における側面視での断面図であって、図５は、図４に示す状態からキャップを取り外してロッドを押し込んで、凹所内の粉体が排出された状態を示す、ロッドの押し込み終了位置での断面図であって、図６は、図５に示す状態から弾性体が復元し、ロッドが初期位置に復帰した状態を示す断面図である。
【００３５】
第２実施形態は、前述の深穴３４の内周面に螺旋溝３４ａを設け、ガイドピン６３の外周面に螺旋溝３４ａに連係する突出部６３ａを設けている。すなわち、第１実施形態においてロッド３０はガイドピン６３に沿って直線状に変位するところ、第２実施形態ではこの直線状の変位中、更に操作ボタン４０の下端環状壁４２ａ及びガイドピン６３回りにロッド３０を回転させることができる。これにより、粉体の凹所内への移動、及び凹所からの排出がよりスムーズに行えるようになり、また、凹所内の粉体に作用する遠心力も相俟って、凹所内の粉体をより確実に排出させることができる。なお、ガイドピン６３の外周面に螺旋溝を設け、深穴３４の内周面に突出部を設けてもよい。
【００３６】
ここで、弾性体７０としてコイルバネを用いる場合は、図７（ａ）に示すように、操作ボタン４０を押圧する際のロッド３０の回転方向（容器の上方から下方に向かって見た場合に左回り）に対して、コイルバネの巻き方向（コイルバネの上端７０ａを起点とする巻き方向）を逆向きにする（容器の上方から下方に向かって見た場合に右回り）ことが好ましい。操作ボタン４０を押圧してロッド３０を押し込む際は、コイルバネと凹部３５の下面が強く当接することになるが、上記の巻き方向となるコイルバネを用いることで、その上端７０ａによって凹部３５の下面が削られるおそれが低くなり、削り屑が内容物に混入する不具合を抑えることができる。なお、図７（ｂ）に示すようにロッド３０の復帰時には、ロッド３０の回転方向とコイルバネの巻き方向が一致することになるが、ロッド３０はコイルバネから離れる向きに変位するため、削れの発生は有効に防止される。
【産業上の利用可能性】
【００３７】
本発明によれば、容器の開口と栓体との隙間を小さくしても粉体を抽出させる際の押し込み操作が良好となり、また、所期した通りの量の内容物を確実に１回分だけ抽出することができる、新たな定量抽出器を提供することができる。
【符号の説明】
【００３８】
１  容器本体
１０  胴体
２１  貫通孔
２２  天壁
３０  ロッド
３２  栓体
３３  凹所
３４  深穴
３４ａ  螺旋溝
４０  操作ボタン
５０  弾性壁
５１  基部
５２  環状舌片
６０  底体
６３  ガイドピン
６３ａ  突出部
６５  抽出口
７０  弾性体
８０  キャップ
【図１】
2014129099.tif 000003
【図２】
2014129099.tif 000004
【図３】
2014129099.tif 000005
【図４】
2014129099.tif 000006
【図５】
2014129099.tif 000007
【図６】
2014129099.tif 000008
【図７】
2014129099.tif 000009